(57)【要約】【課題】持ちやすいフランスパン袋を提供する。【解決手段】フランスパン袋１は、フランスパン３を一本そのまま収納可能な袋である。フランスパン袋１の長さは、フランスパン３よりも長くされている。フランスパン袋１は、フランスパン３の端部５を挿入可能な開口７が長手方向の一端（上端）に形成され、他端（下端）は閉じられた形態の袋状の収納部９を有する。フランスパン袋１は、収納部９に取り付けられた手提げ紐１１を備えている。フランスパン袋１には、手提げ紐１１が備えられているから、フランスパン袋１が持ちやすくなる。【選択図】図１
2019043564.tif 000002
【特許請求の範囲】
【請求項１】
フランスパンを一本そのまま収納可能であり、前記フランスパンの端部を挿入可能な開口が長手方向の一端に形成され、他端は閉じられた形態の袋状の収納部と、
前記収納部に取り付けられた手提げ紐と、を備えたフランスパン袋。
【請求項２】
前記手提げ紐は、前記収納部の前記一端から、前記収納部の長手方向の外側に突出するアーチ形状部を有する請求項１に記載のフランスパン袋。
【請求項３】
前記手提げ紐は、略逆Ｕ字状をなし、
前記手提げ紐の両端は、前記一端から所定距離内側に入り込んだ固定位置で前記収納部に固定されており、
前記固定位置以外の場所では、前記手提げ紐は、前記収納部に非固定とされている請求項１又は２に記載のフランスパン袋。
【請求項４】
前記収納部には、前記一端から前記固定位置までの間に、前記開口を閉じるための折り曲げ予定部位を示す目印が設けられている請求項３に記載のフランスパン袋。
【請求項５】
前記収納部は、表面と裏面を有しており、
前記裏面の側で、前記手提げ紐は前記収納部に固定されており、
前記開口を閉じる際には、前記収納部は前記表面の側に折り曲げられ、
前記表面には、前記一端から前記固定位置までの間で折り曲げた際に、前記収納部の前記一端が到達する位置に、前記一端の位置合わせのための目印が形成されている請求項３又は４に記載のフランスパン袋。
【発明の詳細な説明】
【技術分野】
【０００１】
本発明は、フランスパン袋に関する。
【背景技術】
【０００２】
フランスパン袋として、例えば、細長い袋で、上縁に開口部が備えられたものが知られている（非特許文献１参照）。このフランスパン袋では、フランスパンの一端を開口部から挿入し、フランスパンを１本そのまま収納することが可能である。
【先行技術文献】
【非特許文献】
【０００３】
【非特許文献１】モノタロウ  HEIKO フランスパン袋［平成２９年８月７日検索］、インターネット＜URL：https://www.monotaro.com/p/8927/0745/?gclid=Cj0KCQjwn6DMBRC0ARIsAHZtCePUYQy_88alYLEI3prrAFXNJN7-URfB6Ans2uxcQ6fnYprRydH3GH8aAoReEALw_wcB&utm_medium=cpc&utm_source=Adwords&cm_mmc=Adwords-_-cpc-_-PLA-_-89270745&ef_id=WErr7QAABNW9UtdY:20170807074048:s＞
【発明の概要】
【発明が解決しようとする課題】
【０００４】
しかし、フランスパンを収納した状態のフランスパン袋は、必ずしも持ちやすいものではなく、改良が求められていた。
【０００５】
本発明は、上記従来の実情に鑑みてなされたものであって、持ちやすいフランスパン袋を提供することを目的とする。
【課題を解決するための手段】
【０００６】
上記問題を解決するために、請求項１に記載の発明は、
フランスパンを一本そのまま収納可能であり、前記フランスパンの端部を挿入可能な開口が長手方向の一端に形成され、他端は閉じられた形態の袋状の収納部と、
前記収納部に取り付けられた手提げ紐と、を備えたフランスパン袋である。
【０００７】
請求項２に記載の発明は、
前記手提げ紐は、前記収納部の前記一端から、前記収納部の長手方向の外側に突出するアーチ形状部を有する請求項１に記載のフランスパン袋である。
【０００８】
請求項３に記載の発明は、
前記手提げ紐は、略逆Ｕ字状をなし、
前記手提げ紐の両端は、前記一端から所定距離内側に入り込んだ固定位置で前記収納部に固定されており、
前記固定位置以外の場所では、前記手提げ紐は、前記収納部に非固定とされている請求項１又は２に記載のフランスパン袋である。
【０００９】
請求項４に記載の発明は、
前記収納部には、前記一端から前記固定位置までの間に、前記開口を閉じるための折り曲げ予定部位を示す目印が設けられている請求項３に記載のフランスパン袋である。
【００１０】
請求項５に記載の発明は、
前記収納部は、表面と裏面を有しており、
前記裏面の側で、前記手提げ紐は前記収納部に固定されており、
前記開口を閉じる際には、前記収納部は前記表面の側に折り曲げられ、
前記表面には、前記一端から前記固定位置までの間で折り曲げた際に、前記収納部の前記一端が到達する位置に、前記一端の位置合わせのための目印が形成されている請求項３又は４に記載のフランスパン袋である。
【発明の効果】
【００１１】
本発明のフランスパン袋には、手提げ紐が備えられているから、フランスパン袋が持ちやすくなる。
【００１２】
請求項２に記載のフランスパン袋によれば、アーチ形状部に手を入れて提げることにより、フランスパンを安定した状態で運ぶことができる。また、アーチ形状部をフック等にかけることで、複数のフランスパン袋を並んだ状態で保管できる。
【００１３】
請求項３に記載のフランスパン袋によれば、手提げ紐は、固定位置以外の場所では、収納部に非固定とされている。すなわち、収納部の一端から固定位置までの間は、収納部と手提げ紐は固定されていない。
よって、この部分で、収納部を折り曲げて、収納部を閉じることができる。
【００１４】
請求項４に記載のフランスパン袋によれば、折り曲げの予定部位を示すことで、折り曲げ位置が指定され、この部分での折り曲げを誘導することができる。仮に、収納部を折り曲げ過ぎると、手提げ紐と収納部の固定部分に無理な力がかかる恐れがある。一方、請求項４の構成では、一端から固定位置までの間の折り曲げ予定部位で折り曲げることが想定されるから、折り曲げすぎによる固定部分への余計な力を抑制することができる。
【００１５】
請求項５に記載のフランスパン袋では、収納部を表面の側に折り曲げる際に、収納部の一端を目印に合わせるように折り曲げる。このようにすると、一端から固定位置までの間で収納部を折り曲げることになるから、折り曲げすぎによる固定部分への余計な力を抑制することができる。
【図面の簡単な説明】
【００１６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】フランスパン袋を示す斜視図である。
【図２】フランスパン袋を示す表面図である。
【図３】フランスパン袋を示す部分表面図である。
【図４】フランスパン袋を示す裏面図である。
【図５】フランスパン袋を示す部分裏面図である。
【図６】連結部材を分解した状態を示す部分分解図である。
【図７】折り曲げた状態を示す表面から視た説明図である。
【図８】折り曲げた状態を示す裏面から視た説明図である。
【図９】フランスパン袋の店内での配置の例を示す斜視図である。
【図１０】フランスパン袋の店内での使用例を示す斜視図である。
【図１１】フランスパン袋の店内での使用例を示す斜視図である。
【発明を実施するための形態】
【００１７】
フランスパン袋１は、フランスパン３を一本そのまま収納可能な袋である。フランスパン袋１の長さは、フランスパン３よりも長くされている。フランスパン袋１は、フランスパン３の端部５を挿入可能な開口７が長手方向の一端（上端）に形成され、他端（下端）は閉じられた形態の袋状の収納部９を有する（図１，１０参照）。フランスパン袋１は、収納部９に取り付けられた手提げ紐１１を備えている。
フランスパン袋１は、全体として細長い矩形状をなしている。フランスパン袋１の両側部には、マチ１３が設けられている。マチ１３は、内側へ折り込まれた谷折り構造により形成されている。マチ１３によって、収納部９における収納空間Ｓの厚みを確保して、フランスパン３を収納しやすくしている。フランスパン袋１の他端（下端）には、マチ１３は設けられていない。
フランスパン袋１の表面１Ａには、幅方向（横方向）の中央を長手方向（上下方向）に延びる形態の透明部分２が備えられている（図１，２参照）。フランスパン袋１は、透明部分２以外は、不透明とされている。透明部分２からは、フランスパン３の長手方向に形成された複数の切れ目３Ａが透けて見えるように構成されている（図１０，１１参照）。このようにすることで、フランスパン袋１にフランスパン３を収納した状態でデザイン性が向上する。
【００１８】
手提げ紐１１は、収納部９の一端（上端）から、収納部９の長手方向の外側に突出するアーチ形状部１５を有している（図３〜６参照）。アーチ形状部１５は、収納部９の上縁部９Ａを折り曲げる前においても、上方に突出している。よって、手提げ紐１１は、使用前に、図９に示すようにフック１７にかけることができる。
【００１９】
手提げ紐１１は、図４，５に示すように、略逆Ｕ字状をなしている。手提げ紐１１の両端は、フランスパン袋１の一端（上端）から所定距離内側（下側）に入り込んだ固定位置で収納部９に固定されている。手提げ紐１１の固定は、次のように行われている。手提げ紐１１の両端は、両端に架け渡されて、両端を連結する連結部材１９に固定されている。連結部材１９は、図６に示すように、例えば、矩形状の一対の紙片１９Ａ，１９Ａから形成されている。一対の紙片１９Ａ，１９Ａの間に手提げ紐１１の両端が挟み込まれた状態で接着剤により固定されている。そして、連結部材１９が収納部９の裏面２１に接着剤で固定されることで、手提げ紐１１の両端が、連結部材１９を介して収納部９に固定されている。手提げ紐１１は、連結部材１９が設置された固定位置の以外の場所では、収納部９に非固定とされている。連結部材１９を用いることで、手提げ紐１１の両端の相対位置が拘束されるから、両端がそれぞれ単独で動くことに起因するアーチ形状部１５の大きな変形を防止できる。よって、収納部９にフランスパン３を収納して荷重がかかっても、アーチ形状部１５の変形が抑えられて、持ちやすい形状を維持できる。
尚、手提げ紐１１が収納部９に直接固定された場合には、手提げ紐１１と収納部９の接着部は細長くなり、小さいため、接着部には荷重により大きな力がかかる。従って、この場合には、接着部が壊れやすい。これに対して、連結部材１９を用いて、手提げ紐１１を収納部９に固定すると、連結部材１９の広い面で力を受けることになり、力が分散するため、接着部が破壊されにくい。
【００２０】
収納部９の表面２３には、図３に示すように、収納部９の一端から手提げ紐１１の固定位置までの間に、開口７を閉じるための折り曲げ予定部位を示す目印２５が印刷されている。目印２５は、収納部９の表面２３の両側に一対印刷されている。一対の目印２５は、収納部９の一端から略同一距離の部分に印刷されている。このように、目印２５が、表面２３の両側に印刷されていることで、折り曲げる際に斜めに折り曲げることを防止できる。
尚、目印２５の形態は、特に限定されないが、例えば、図３のように、三角の目印２５を用いることで、目印２５の尖った側に折り曲げるように、使用者を誘導することができる。従って、このフランスパン袋１では、マニュアルがなくても直感的に使用方法を把握することができる。
【００２１】
収納部９の表面２３には、図３に示すように、収納部９の一端から手提げ紐１１の固定位置までの間で折り曲げた際に、収納部９の一端が到達する位置に、一端の位置合わせのための目印２９が形成されている。
一方、収納部９の裏面２１の一端（上端）には、図５，図７に示すように、目印２９と合体することで、一つの図柄となる目印３１が形成されている。
【００２２】
次に、フランスパン袋１の店内での配置等について説明する。フランスパン袋１は、例えば、フランスパンコーナー（バケットコーナー）の横に置かれる（図９参照）。この際、フランスパン袋１は、そのアーチ形状部１５がフック１７に掛けられ、ぶら下げた状態とされる。このように、フランスパン袋１をぶら下げることで、平面的に置く場合と比べて、配置スペースを少なくできる。また、フランスパン袋１の側には、フランスパン袋１の取り扱い方法を示したＰＯＰ広告が置かれることが好ましい。このＰＯＰ広告には、例えば、「バケットを備え付けの紙袋に入れて、レジまでお願いします」と記載されている。
【００２３】
フランスパン３には、その長手方向の中央付近に、所定幅を有する帯３３が巻かれている。帯３３は、例えば紙製であり、フランスパン３とは異なる色、例えば黒色とされている。帯３３を異なる色とすることで、客がフランスパン３を手で掴む際にパンの部分を掴まずに、帯３３を掴むように、誘導することができる。客は、トングを使わないで、手で帯３３を掴むことで、比較的大きいフランスパン３を安定した状態で掴むことができる。
【００２４】
さて、次にフランスパン袋１の使用方法について説明する（図１０，１１参照）。客又は店員は、フランスパンコーナーで、フランスパン３を購入（販売）する場合には、まず、フランスパン袋１をフック１７から外す。そして、客又は店員は、フランスパン袋１の開口７を開ける。次に、客又は店員は、帯３３を掴むことでフランスパン３を持って、フランスパン３をフランスパン袋１内に挿入する。すると、フランスパン３は、フランスパン袋１の中に落下して、フランスパン３の端部５がフランスパン袋１の他端（下端）に当接した状態となる。次に、客又は店員は、図３，７に示すように、フランスパン袋１の目印２５の部分で、表側に折り曲げる。この際、客又は店員は、目印２９と、目印３１が一体となるように折り曲げる。そして、客又は店員は、フランスパン３が収納されたフランスパン袋１の封をする。
【００２５】
本実施形態のフランスパン袋１には、手提げ紐１１が備えられているから、フランスパン袋１が持ちやすくなる。
フランスパン袋１によれば、アーチ形状部１５に手を入れて提げることにより、フランスパン３を安定した状態で運ぶことができる。また、アーチ形状部１５をフック１７等にかけることで、複数のフランスパン袋１を並んだ状態で保管できる。
【００２６】
フランスパン袋１によれば、手提げ紐１１は、固定位置以外の場所では、収納部９に非固定とされている。すなわち、収納部９の一端から固定位置までの間は、収納部９と手提げ紐１１は固定されていない。
よって、この部分で、収納部９を折り曲げて、収納部９を閉じることができる。
【００２７】
本実施形態のフランスパン袋１によれば、折り曲げの予定部位を目印２５で示すことで、折り曲げ位置が指定され、この部分での折り曲げを誘導することができる。仮に、収納部９を折り曲げ過ぎると、手提げ紐１１と収納部９の固定部分に無理な力がかかる恐れがある。一方、本実施形態の構成では、一端から固定位置までの間の目印２５で折り曲げることが想定されるから、折り曲げすぎによる固定部分への余計な力を抑制することができる。
【００２８】
本実施形態のフランスパン袋１では、収納部９を表面２３の側に折り曲げる際に、目印２９と目印３１を合わせるように折り曲げる。このようにすると、一端から固定位置までの間で収納部９を折り曲げることになるから、折り曲げすぎによる固定部分への余計な力を抑制することができる。
【００２９】
＜他の実施形態＞
尚、本発明においては、上記実施形態に限られず、目的、用途に応じて本発明の範囲内で種々変更した実施形態とすることができる。
上記実施形態では、連結部材１９を用いて、手提げ紐１１が収納部９に固定されている態様を示したが、連結部材１９を用いなくてもよい。
上記実施形態では、目印２５が印刷されている態様を示したが、目印２５は必須ではなく、目印２５がなくてもよい。また目印２５を形成する際には、印刷に限られず、シール等により、目印を構成してもよい。
上記実施形態では、目印２９と、目印３１が印刷されている態様を示したが、目印２９と、目印３１は必須ではなく、目印２９と、目印３１がなくてもよい。また目印２９と、目印３１を形成する際には、印刷に限られず、シール等により、目印を構成してもよい。
上記実施形態では、目印２９と、目印３１が印刷されている態様を示したが、裏面の目印３１は必須ではなく、表面の目印２９のみとしてもよい。この場合には、例えば、表面の目印２９に、フランスパン袋１の上端を合わせるように折り曲げてもよい。
上記実施形態では、店内で、フランスパン袋１にフランスパン３が入れられる態様を示したが、パン工場等でフランスパン袋１にフランスパン３が入れられてもよい。この場合、店頭ではフランスパン袋１に予め入れられたフランスパン３が陳列されることになる。
【００３０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施形態を参照したが、本発明をここにおける開示事項に限定することを意図するものではなく、むしろ、本発明は添付の特許請求の範囲内における、機能的に同等の構造、方法、使用の全てに及ぶものとする。
【産業上の利用可能性】
【００３１】
フランスパン袋に関する技術として広く利用される。
【符号の説明】
【００３２】
１…フランスパン袋
１Ａ…表面
２…透明部分
３…フランスパン
３Ａ…切れ目
５…端部
７…開口
９…収納部
９Ａ…上縁部
１１…手提げ紐
１３…マチ
１５…アーチ形状部
１７…フック
１９…連結部材
１９Ａ…紙片
２１…裏面
２３…表面
２５…目印
２９…目印
３１…目印
３３…帯
Ｓ…収納空間
【図１】
2019043564.tif 000003
【図２】
2019043564.tif 000004
【図３】
2019043564.tif 000005
【図４】
2019043564.tif 000006
【図５】
2019043564.tif 000007
【図６】
2019043564.tif 000008
【図７】
2019043564.tif 000009
【図８】
2019043564.tif 000010
【図９】
2019043564.tif 000011
【図１０】
2019043564.tif 000012
【図１１】
2019043564.tif 000013